(57)【特許請求の範囲】
【請求項１】
情報記録媒体駆動装置の動作を制御するドライブコントローラであって、
前記駆動装置に対する情報記録媒体の挿入及び排出を検出する検出手段と、
前記検出手段で前記情報記録媒体の排出が検出された場合に、前記情報記録媒体が挿入されている間に前記駆動装置に供給されている電力を別の情報記録媒体の再挿入に備えて一定時間維持するとともに、前記検出手段は、前記一定時間内に前記情報記録媒体が再挿入されたか否かを検出し、前記一定時間経過後であって前記別の情報記録媒体の再挿入が検出されないときに前記電力の供給を遮断する電力制御手段と、
を有することを特徴とするドライブコントローラ。
【請求項２】
請求項１記載の装置において、
前記電力制御手段は、前記一定時間を可変調整することを特徴とするドライブコントローラ。
【請求項３】
請求項２記載の装置において、
前記電力制御手段は、前記情報記録媒体の排出から再挿入までに要した時間の統計値に応じて前記一定時間を可変調整することを特徴とするドライブコントローラ。
【請求項４】
請求項２記載の装置において、
前記電力制御手段は、前記情報記録媒体に記録されているデータ内容に応じて前記一定時間を可変調整することを特徴とするドライブコントローラ。
【請求項５】
ホスト装置により動作が制御される光ディスク装置であって、
光ディスクの挿入及び排出を検出して前記ホスト装置に送信する検出手段と、
を備え、前記検出手段で前記光ディスクの排出が検出された場合に、前記ホスト装置からの制御により別の光ディスクの再挿入に備えて一定時間は光ディスクの駆動可能な電源オン状態を維持するとともに、前記検出手段は、前記一定時間内に前記光ディスクが再挿入されたか否かを検出し、前記一定時間経過後であって前記別の光ディスクの再挿入が検出されないときに前記ホスト装置からの制御により電源オフ状態に遷移することを特徴とする光ディスク装置。
【請求項６】
請求項５記載の装置において、
前記一定時間は、可変調整されることを特徴とする光ディスク装置。
【請求項７】
請求項６記載の装置において、
前記一定時間は、前記光ディスクの排出から再挿入までに要した時間の統計値に応じて可変調整されることを特徴とする光ディスク装置。
【請求項８】
請求項６記載の装置において、
前記一定時間は、前記光ディスクに記録されているデータ内容に応じて可変調整されることを特徴とする光ディスク装置。
【発明の詳細な説明】
【技術分野】
【０００１】
本発明はドライブコントローラ及び光ディスク装置に関し、特に光ディスク装置の電源供給制御に関する。
【背景技術】
【０００２】
薄型かつ低消費電力の光ディスク装置が開発され、ノートパソコン等に搭載されている。光ディスク装置への光ディスクの挿入及び排出を検出し、挿入を検出すると光ディスク装置へ電源を供給し、排出を検出すると光ディスク装置への電源供給を停止することで電力消費を低減することができる。
【０００３】
下記の特許文献には、スロットインタイプの情報記憶装置で電源の供給制御を行う技術が記載されている。媒体のロード及びイジェクトに応じてスイッチ状態が変化し、ＣＰＵがスイッチの状態を検出することで媒体のロード及びイジェクトを検出し、媒体の排出を検出すると電源供給を停止することが記載されている。
【０００４】
【特許文献１】特開２００５−２２２６７９号公報
【発明の開示】
【発明が解決しようとする課題】
【０００５】
しかしながら、上記の従来技術では、情報記憶装置内のＣＰＵがスイッチの状態を監視するため常に稼働状態にある。そこで、さらなる消費電力の削減を図るべく、待機状態では媒体の挿入を検出するスイッチのみにホスト装置から電源を供給し、このスイッチが挿入を検出した場合にホスト装置から情報記憶装置に電源を供給することが考えられる。但し、挿入を検出した後に電源を供給する構成では、内部のＣＰＵや周辺ＩＣ等を初期化して動作可能状態まで移行させるまでに時間を要することとなり、ユーザの操作性が低下するおそれがある。
【０００６】
例えば、光ディスク装置を例示する。ユーザは、ある光ディスクを光ディスク装置に挿入するが、その後、他の光ディスクを代わりに挿入するために既に挿入した光ディスクを排出する場合が少なくない。このような場合、光ディスクの排出を検出して電源を遮断してしまい、再度光ディスクの挿入を検出して電源を供給する構成では、再挿入した光ディスクの実際の駆動が開始されるまでに時間を要することとなり、操作性が低下する。
【０００７】
本発明は、上記従来技術の課題に鑑みなされたものであり、その目的は、消費電力を低減しつつ、操作性に優れた光ディスク装置及びドライブコントローラを提供することにある。
【課題を解決するための手段】
【０００８】
本発明は、情報記録媒体駆動装置の動作を制御するドライブコントローラであって、前記駆動装置に対する情報記録媒体の挿入及び排出を検出する検出手段と、前記検出手段で前記情報記録媒体の排出が検出された場合に、前記情報記録媒体が挿入されている間に前記駆動装置に供給されている電力を別の情報記録媒体の再挿入に備えて一定時間維持するとともに、前記検出手段は、前記一定時間内に前記情報記録媒体が再挿入されたか否かを検出し、前記一定時間経過後であって前記別の情報記録媒体の再挿入が検出されないときに前記電力の供給を遮断する電力制御手段とを有することを特徴とする。
【０００９】
また、本発明は、ホスト装置により動作が制御される光ディスク装置であって、光ディスクの挿入及び排出を検出して前記ホスト装置に送信する検出手段とを備え、前記検出手段で前記光ディスクの排出が検出された場合に、前記ホスト装置からの制御により別の光ディスクの再挿入に備えて一定時間は光ディスクの駆動可能な電源オン状態を維持するとともに、前記検出手段は、前記一定時間内に前記光ディスクが再挿入されたか否かを検出し、前記一定時間経過後であって前記別の光ディスクの再挿入が検出されないときに前記ホスト装置からの制御により電源オフ状態に遷移することを特徴とする。
【００１０】
本発明では、光ディスク等の情報記録媒体が挿入されている間のみ光ディスクドライブ等の情報記録媒体駆動装置に対して駆動用電力を供給することで消費電力の低減（パワーセーブ）を図ることを基本としつつ、ユーザの利便性や操作性向上を図るために、情報記録媒体が情報記録媒体駆動装置から排出された場合に直ちに電力供給を停止するのではなく、排出されてから一定時間は電力供給を維持する。一定時間電力供給を維持している間にユーザが情報記録媒体を再挿入した場合、情報記録媒体駆動装置は直ちに再挿入された情報記録媒体の駆動を開始することができ、ユーザの利便性及び操作性の向上が図られる。一定時間経過した後は、情報記録媒体駆動装置への電力供給を停止し、不要な電力消費を抑制する。本発明では、電力供給の停止タイミングを情報記録媒体の排出タイミングと同期させつつ、電力供給の停止タイミングを情報記録媒体の排出タイミングよりも一定時間だけ遅延させるものと云うことができる。一定時間は固定値でもよいが可変値としてもよい。一定時間は、ユーザが情報記録媒体を再挿入する事態に備えた時間としての意義を有するから、ユーザの排出、再挿入の動作特性に応じて適応的に調整することが好適である。ユーザの排出、再挿入特性は、記録あるいは再生しようとする情報記録媒体のコンテンツに応じて決定されるものと云うこともできるから、コンテンツに応じて適応的に調整することも好適である。
【発明の効果】
【００１１】
本発明によれば、情報記録媒体の排出から一定時間は電力供給が維持されるため、この間に情報記録媒体が再挿入されても情報記録媒体駆動装置（ドライブ）の初期化処理が不要となり、低消費電力を図りつつユーザの利便性や操作性が向上する。また、電力供給と電力供給停止の回数（オンオフ回数）が低減されるので、ドライブコントローラとドライブの誤動作の可能性が低減する。
【発明を実施するための最良の形態】
【００１２】
以下、図面に基づき本発明の実施形態について説明する。
【００１３】
図１及び図２に、本実施形態における光ディスク装置（光ディスクドライブ）の構成を示す。図１は光ディスクの排出状態、図２は光ディスクの挿入状態である。光ディスク装置１０はスロットイン型であり、一つの側面に形成されたスロットからＣＤやＤＶＤ等の光ディスク１００を挿入し、かつ排出する。光ディスク装置１０の内部には光ディスク１００を回転駆動するスピンドルや光ディスク１００の表面にレーザ光を照射しその反射光を受光する光ピックアップが設けられる。また、光ディスク装置１０には光ディスク１００が挿入されたときに光ディスク１００の端部が当接するアーム１２が設けられる。
【００１４】
アーム１２は略円弧状の外観を呈し、その一端に光ディスク１００が当接するヘッド部が設けられ、他端は支持部材１４に固着される。支持部材１４は図中矢印ａｂ方向に軸中心１５の回りに回動自在に軸支されるとともに弾性部材により図中ｂ方向に付勢される。支持部材１４は、平面形状が扇形であってカム形状をなし、その円弧部に凹凸部が形成されている。支持部材１４の円弧部の近接位置であって対向する位置に検出スイッチ１６が設けられている。
【００１５】
まず、光ディスク１００の挿入時の動作について説明する。
【００１６】
光ディスク１００が挿入されると、光ディスク１００の端部がアーム１２のヘッドに当接し、さらに光ディスク１００を挿入し続けると、光ディスク１００に押されるようにアーム１２及び支持部材１４が軸中心１５の回りに弾性力に抗して図中矢印ａ方向に回動する。この時点では、検出スイッチ１６は支持部材１４の円弧部の凸部に接しており、閉状態にある。さらに光ディスク１００を挿入し続けると、図２に示すようにアーム１２及び支持部材１４がさらに矢印ａ方向に回動し、やがて検出スイッチ１６は支持部材１４の円弧部の凹部に対向するようになり、検出スイッチ１６は開放（オープン）状態となる。光ディスク装置１０内のプロセッサや光ディスク装置１０に電源を供給するノートパソコン等のホスト装置は、この検出スイッチ１６の開放状態により、光ディスク１００が光ディスク装置１０に挿入されたことを検出する。
【００１７】
次に、光ディスク１００の排出時の操作について説明する。
【００１８】
イジェクトボタン等が操作されると、図示しない搬送機構が光ディスク１００を光ディスク装置１０のスロット方向に搬送する。光ディスク１００の移動にともない、光ディスク１００の端部に当接するアーム１２及び支持部材１４は弾性力により図中ｂ方向に回動する。さらに光ディスク１００を搬送し続けると、図２に示す状態から図１に示す状態に移行し、検出スイッチ１６は支持部材１４の円弧部の凸部に対向するようになり、検出スイッチ１６は開放状態から閉状態となる。光ディスク装置１０内のプロセッサやホスト装置は、この検出スイッチ１６の閉状態により、光ディスク１００が光ディスク装置１０から排出されたことを検出する。
【００１９】
図３に、図１あるいは図２に示す光ディスク装置１０を駆動するシステム構成を示す。光ディスク装置１０はノートパソコン等のホスト装置（ドライブコントローラ）１に組み込まれ、ホスト装置１からの制御信号により制御される。ホスト装置１は、ＡＣアダプタにより外部商用電源から電力供給を受け、あるいは内蔵バッテリで動作する。ホスト装置１は、光ディスク装置１０に駆動用電力を供給する。省電力の観点からは、ホスト装置１は光ディスク装置１０に光ディスクが挿入され光ディスクを駆動する必要がある場合に光ディスク装置１０に電力を供給することが望ましい。具体的には、図１あるいは図２で説明したとおり、光ディスク装置１０には光ディスクの挿入及び排出を検出する検出スイッチ１６が設けられているから、検出スイッチ１６からの検出信号に応じ、光ディスクが挿入されたことを検出された場合にホスト装置１は光ディスク装置１０に電力を供給し、光ディスクが排出されたことを検出した場合にホスト装置１は光ディスク装置１０への電力供給を停止する。図３に即して説明すると、ホスト装置１はディスク検出及び電源供給回路１ａを有し、回路１ａは信号線２０を介して光ディスク装置１０に駆動用電力を供給するとともに、信号線３０を介して検出スイッチ１６からの検出信号を受信する。検出スイッチ１６は、光ディスクが挿入されると閉状態から開放状態となり、信号線３０は検出スイッチ１６の開放により信号レベルはＨｉとなる。回路１ａは信号線３０のＨｉ状態を検出することで光ディスクが挿入されたことを検出する。また、検出スイッチ１６は、光ディスクが排出されると開放状態から閉状態となり、信号線３０のレベルはＨｉからＬｏｗとなる。回路１ａは信号線３０のＬｏｗ状態を検出することで光ディスクが排出されたことを検出する。なお、光ディスク装置１０もディスク検出回路１０ａを有し、回路１ａと同様に検出スイッチ１６からの検出信号を受信して光ディスクの挿入及び排出を検出する。但し、本実施形態では光ディスクの挿入及び排出に連動したホスト装置１から光ディスク装置１０への電力供給制御に特徴があるため、ディスク検出回路１０ａの動作についてはその説明を省略する。
【００２０】
ホスト装置１は、検出スイッチ１６の開閉状態を監視することで光ディスクの挿入を検出し、初めて光ディスク装置１０に電力を供給するが、第１に、電源を供給後、光ディスク装置１０自身は内部のＣＰＵや周辺ＩＣ、スロットイン機構内のアーム位置等を確認し初期化して光ディスクの引き込み動作を行えるように準備する必要がある。したがって、ユーザが光ディスクを挿入し、検出スイッチ１６を動作させた直後は上記の初期化処理のために光ディスクの引き込み動作にスムーズに移行することはできず、操作はワンテンポ遅れる感じとなる。
【００２１】
第２に、ホスト装置１は、検出スイッチ１６の開閉状態を監視することで光ディスクの排出を検出し、光ディスク装置１０への電力供給を停止するが、ユーザによってはある光ディスクを排出後に同一光ディスクを再挿入する、あるいは別の光ディスクを再挿入する場合があり、このような場合にも再度検出スイッチ１６が挿入を検出した場合にホスト装置１は光ディスク装置１０に電力を供給し、光ディスク装置１０は上記の初期化処理を実行する必要があるため操作が遅れることになる。ユーザにとっては、光ディスクを再挿入する場合においても操作が遅れるため、使い勝手が悪い。
【００２２】
そこで、本実施形態では、特に第２の問題を解消すべく、ホスト装置１は検出スイッチ１６により光ディスクの排出が検出された場合でも、直ちに光ディスク装置１０への電力供給を停止するのではなく、排出後一定時間は電力供給を維持する。そして、一定時間経過後に電力供給を停止する。電力供給を維持する一定時間は任意であるが、例えば１５秒程度に設定する。排出後一定時間は光ディスク装置１０への電力供給が維持されるため、この期間内に光ディスクが再挿入された場合でも、光ディスク装置１０内のＣＰＵや周辺ＩＣは初期化処理を実行する必要がなく、直ちに再挿入された光ディスクの引き込み動作及び記録あるいは再生動作に移行することができ、ユーザの操作性が向上する。
【００２３】
図４に、本実施形態の動作タイミングチャートを示す。図３における信号線２０及び信号線３０のタイミングチャートである。光ディスクが光ディスク装置１０内に存在しない状態では検出スイッチ１６は閉状態であり信号レベルはＬｏｗである。光ディスクが挿入されると検出スイッチ１６は開放状態となり信号レベルはＨｉとなる。信号線３０の信号レベルがＨｉとなると、ホスト装置１は信号線２０を介して光ディスク装置１０に電力を供給するため、信号線２０はＬｏｗレベルからＨｉレベルとなる。光ディスク装置１０は、ホスト装置１からの電力供給を受けて電源オン状態となり、ＣＰＵ及び周辺ＩＣが起動して所定の初期化処理を実行し、その後、挿入された光ディスクの引き込み動作及び記録再生動作を行う。一方、ユーザが光ディスク装置１０のイジェクトボタン等を押下操作して光ディスクが排出されると検出スイッチ１６は閉状態となり信号線３０のレベルはＬｏｗレベルとなる。ホスト装置１は、信号線３０のレベルがＨｉからＬｏｗに変化しても、直ちに電力供給を停止するのではなく、一定時間Ｔだけ経過した後に電力供給を停止する。したがって、信号線２０は信号線３０がＨｉからＬｏｗに変化した時点から一定時間Ｔだけ遅延した後にＨｉからＬｏｗに変化する。光ディスク装置１０は、ホスト装置１からの電力供給が停止されると電源オフ状態となり、ＣＰＵ及び周辺ＩＣは動作を停止する。
【００２４】
なお、一定時間Ｔは固定ではなく可変としてもよい。例えば、ユーザに応じて再挿入までの時間が変化し得るものと考えられるから、ホスト装置１が光ディスクの排出から再挿入までの時間を計測してメモリに記憶し、一定の再挿入回数における排出から再挿入までの平均時間を学習してもよい。学習して得られた平均時間に１より大きい所定の係数（例えば１．２）を乗して一定時間Ｔを算出する。
【００２５】
あるいは、光ディスクのコンテンツに応じて再挿入までの時間が変化し得るものと考えられるから、ホスト装置１が光ディスクのコンテンツを識別し、これに応じて一定時間Ｔを適応的に設定する。例えば、光ディスクが音楽ＣＤや映像ＤＶＤの場合、挿入し再生してから所定時間経過する前に排出された場合にはユーザは別の光ディスクを再挿入する可能性が高いことから一定時間Ｔを長く設定（デフォルト時間より長くする）し、所定時間経過してから排出された場合にはユーザは別の光ディスクを再挿入する可能性が少ないことから一定時間Ｔを標準設定する（デフォルト時間をそのまま適用）。光ディスクがプログラムデータ等を記憶するデータＣＤの場合、複数の光ディスクを順次交換挿入してプログラムをインストールする場合があることから、挿入し再生してから所定時間経過した後に排出された場合には一定時間Ｔを長く設定する等も好適である。プログラムのインストール状況に応じて一定時間Ｔを設定することも可能であろう。インストールが完了されていない時点において光ディスクが排出された場合、別の光ディスクが続いて再挿入される可能性が高いため一定時間Ｔを長く設定し、インストールが完了した時点において光ディスクが排出された場合、光ディスクの再挿入される可能性が少ないので一定時間Ｔを標準設定する等である。このように、ディスクが再挿入される可能性が高い場合に時間Ｔを長めに設定することでユーザの利便性を確実に向上できる。
【００２６】
図５に、本実施形態の処理フローチャートを示す。まず、光ディスクが挿入されていない初期状態では電力消費を低減するためにホスト装置１は光ディスク装置１０への電力供給を停止する（Ｓ１０１）。この状態では、ホスト装置１は検出スイッチ１６の開閉状態を監視している。すなわち、信号線３０の信号レベルを常時監視している。そして、光ディスクが光ディスク装置１０に挿入されたか否かを判定する（Ｓ１０２）。検出スイッチ１６が閉状態のままで信号レベルがＬｏｗのままであれば光ディスクは挿入されていない。検出スイッチ１６が開放状態となり信号線３０の信号レベルがＨｉとなると光ディスクが挿入されたことになり、ホスト装置１は光ディスク装置１０への電力供給を開始する（Ｓ１０３）。光ディスク装置１０の駆動電圧は例えば５Ｖである。
【００２７】
光ディスク装置１０は、ホスト装置１からの電力供給を受け、ＣＰＵや周辺ＩＣが起動し、動作プログラムをブートし、アームを用いて挿入された光ディスクをスピンドル位置まで引き込み、光ディスクをスピンドルにクランプし、回転駆動して記録あるいは再生を開始する。
【００２８】
ホスト装置１は、継続して常時検出スイッチ１６の開閉状態を監視し、光ディスクが光ディスク装置１０から排出されたか否かを判定する（Ｓ１０４）。検出スイッチ１６が開放状態から閉状態になり信号線の信号レベルがＬｏｗになると光ディスクが排出されたことになり、ホスト装置１は内蔵タイマを動作させて時間をカウントする（Ｓ１０５）。この時点では電力供給は維持する。そして、ホスト装置１は、タイマが一定時間Ｔとなるまでに光ディスクが再挿入されたか否かを判定し（Ｓ１０６）、光ディスクが再挿入された場合には電力供給をそのまま維持し続ける（Ｓ１０３）。また、再挿入された場合にはタイマをリセットする。一方、光ディスクが再挿入されることなく一定時間Ｔが経過した場合には（Ｓ１０７）、ホスト装置１は光ディスク装置１０への電力供給を停止する（Ｓ１０８）。
【００２９】
このように、本実施形態では、光ディスクが光ディスク装置１０から排出された場合でも、直ちに電力供給を停止するのではなく、一定時間Ｔの経過後に電力供給を停止するので、消費電力を低減しつつ、ユーザの操作性を向上することができる。また、一定時間Ｔをユーザに応じて、あるいは光ディスクのコンテンツに応じて適応的に調整設定することで、消費電力低減とユーザ操作性向上の両立を最適化することができる。
【００３０】
以上、本発明の実施形態について説明したが、本発明はこれに限定されるものではなく、種々の態様が可能である。
【００３１】
例えば、上記の実施形態では第２の問題は解消されるものの第１の問題、つまり最初に光ディスクを挿入する場合の操作性劣化は解消されない。そこで、ホスト装置１は、光ディスク装置１０に電力供給を開始してから所定時間は、光ディスク装置１０が光ディスクを受け入れる状態になっていないことを示す信号（ＮＯＴ  ＲＥＡＤＹ信号）をディスプレイに表示することが好適である。もちろん、ホスト装置１は光ディスク装置１０のＣＰＵからステータス信号を受信し、このステータス信号に応じてディスプレイに表示してもよい。ユーザはディスプレイに表示される信号あるいはメッセージを視認することで、光ディスクを無理矢理押し込むことで光ディスクあるいは光ディスク装置１０を損傷してしまう事態等を回避できる。
【００３２】
また、検出スイッチ１６が光ディスクの挿入を検出した場合に電力供給を開始するのではなく、ＯＳ（オペレーティングシステム）からのコマンドにより光ディスクを挿入すべきタイミングであることを検出した場合に、検出スイッチ１６の状態によらず事前に電力供給を開始してもよい。
【００３３】
図６に、この場合の処理フローチャートを示す。まず、ホスト装置１は光ディスク装置１０への電力供給を停止しており（Ｓ２０１）、この状態でＯＳからのコマンドにより光ディスク挿入すべきとのメッセージコマンドが存在するか否かを判定する（Ｓ２０２）。プログラムをインストールする場合、インストーラが光ディスクの挿入を促すメッセージをディスプレイに表示する場合があり、ユーザはこのメッセージに従ってプログラムが記録された光ディスクを光ディスク装置１０に挿入する。そこで、ホスト装置１は、光ディスク挿入のメッセージが表示された場合には、引き続いて光ディスクが光ディスク装置１０に挿入されるものとみなし、検出スイッチ１６が未だ閉状態で信号レベルがＬｏｗのままであっても光ディスク装置１０に対して電力供給を開始する（Ｓ２０３）。そして、電力供給開始とともに内蔵タイマーをスタートさせ（Ｓ２０４）、電力供給を開始してから一定時間Ｔ１だけ経過する前に光ディスクが挿入されたか否かを判定する（Ｓ２０５、Ｓ２０６）。光ディスクが挿入された場合には、ユーザがＯＳのメッセージコマンドに応じて光ディスクを実際に挿入したことを意味するから、次に光ディスクが排出されたか否かを判定する。ユーザが光ディスクを挿入する場合、既に光ディスク装置１０には電力が供給され、初期処理が完了しているから、スムーズに引き込み動作及び記録再生動作に移行できる。一方、メッセージコマンドに応じて電力供給を開始したものの、一定時間Ｔ１以内にユーザが光ディスクを挿入しなかった場合には、不要な電力消費を抑制すべく、ホスト装置１はＳ２０３で開始した電力供給を直ちに停止する（Ｓ２１１）。
【００３４】
光ディスクが挿入され、次いで光ディスクの排出が検出された場合、ホスト装置１は内蔵タイマをスタートさせ（Ｓ２０８）、一定時間Ｔ２経過後に電力供給を停止する（Ｓ２１０、Ｓ２１１）。また、この一定時間Ｔ２内で光ディスクが再挿入されたか否かを判定し（Ｓ２０９）、再挿入された場合にはタイマをリセットとして電力を供給し続ける。
【００３５】
また、本実施形態ではスロットイン型の光ディスク装置１０について説明したが、他の型式の光ディスク装置にも適用することができる。
【００３６】
例えば、ドロワー型の光ディスク装置１０では、トレイが出たことを検出スイッチで検出することで光ディスクの排出を検出できる。そして、検出スイッチで排出が検出された場合に直ちに電力供給を停止するのではなく、一定時間経過後に電力供給を停止すればよい。なお、ドロワー型の光ディスク装置では、ピックアップやモータがユーザから見えるので、安全保護のためと消費電力抑制のためにモータを止めたりピックアップ電源をオフにする必要性が高い。ホスト装置１側で光ディスク装置１０の電力を停止することは、安全保護とパワーセーブとともに高めることになる。カバーオープン型の光ディスク装置も同様であり、カバーが開いたことを検出スイッチで検出することで光ディスクの排出を検出でき、排出が検出されてから一定時間経過後に電力供給を停止すればよい。
【図面の簡単な説明】
【００３７】
【図１】実施形態の光ディスク装置の構成図（排出状態）である。
【図２】実施形態の光ディスク装置の構成図（挿入状態）である。
【図３】実施形態のシステム構成図である。
【図４】実施形態のタイミングチャートである。
【図５】実施形態の処理フローチャートである。
【図６】実施形態の他の処理フローチャートである。
【符号の説明】
【００３８】
１  ホスト装置（ドライブコントローラ）、１０  光ディスク装置（ドライブ）、１６  検出スイッチ。
【図１】
0004770520.tif 000002
【図２】
0004770520.tif 000003
【図３】
0004770520.tif 000004
【図４】
0004770520.tif 000005
【図５】
0004770520.tif 000006
【図６】
0004770520.tif 000007